(57)【特許請求の範囲】
【請求項１】
少なくとも走路を備えた競走馬用トレーニング室と、空気を取り入れて所望の低酸素濃度となるように調整した低酸素空気を発生する低酸素空気発生装置と、該低酸素空気発生装置から発生した低酸素空気を前記トレーニング室に供給する供給装置を備えた低酸素空気供給手段と、前記トレーニング室の前記走路を放射状に区画し、前記走路の円中心を中心軸として該走路上を回動する区画手段と、前記トレーニング室内に新鮮な低酸素空気を導入するとともに、競走馬の呼吸によって室内の炭酸ガス濃度が上がるのを防止することによって競走馬にとって安全な環境を維持する前記トレーニング室の空気を排気する排気手段と、外部への出入口及び前記トレーニング室への出入口を有し、酸素濃度を外部の酸素濃度とトレーニング室の酸素濃度の中間程度の酸素濃度に制御した前室とからなる競走馬用低酸素トレーニング施設。
【請求項２】
トレーニング室の天井に膜状の部材を用いた請求項１記載の競走馬用低酸素トレーニング施設。
【発明の詳細な説明】
【０００１】
【発明の属する技術分野】
本発明は、低酸素環境下で行う競争馬用トレーニング施設に関するものである。
【０００２】
【従来の技術】
近年においては、体内の各細胞への酸素供給能力を高め、運動力及び持久力を向上することを目的として、低圧・低酸素環境下で行う高所トレーニングが注目されている。
【０００３】
より良い成績を求められる競走馬においても、心肺機能の強化を目的とした減圧環境下における強化トレーニングが試みられ、特許２８０２９０号公報には、減圧ルームに競争馬用トレッドミルを設置した競争馬用のトレーニング施設が開示されている。
【０００４】
【発明が解決しようとする課題】
しかし、前述した競争馬用のトレーニング施設は、複数のブースからなる室内を減圧するため、建物自体に負圧に耐え得る構造的強度が要求される。このため、建設コストが高くなり、大きなトレーニングルームを建設することができず、減圧ルームで行うトレーニングの種類が制約されるという問題があった。
【０００５】
また、競争馬が通常の環境から減圧ルーム内に入れられると、低圧低酸素による息苦しさや、狭い室内の影響から、精神的に圧迫されてトレーニングを嫌がったり、云うことを聞かなくなる等の問題を生じる場合が考えられる。
【０００６】
そこで、本発明は、叙述の諸事情を鑑みて創案されたもので、建物自体を減圧することなく、競争馬に圧迫感を感じさせない程度の比較的大きなトレーニング室を低酸素環境として、効率良く競争馬のトレーニングを行う競争馬用トレーニング施設を提供することを技術的課題とし、もって、近隣施設において、競争馬の低酸素トレーニングを可能とする。
【０００７】
【課題を解決するための手段】
上記技術的課題を解決する本発明のうち、
請求項１に記載した発明の手段は、空気を取り入れて所望の低酸素濃度となるように調整した低酸素空気を発生する低酸素空気発生装置、及び少なくとも走路を備えたトレーニング室に該低酸素空気発生装置から発生した低酸素空気を供給する供給装置を備えた低酸素空気供給手段と、同心円上に配置された走路を有するトレーニング室と、走路を放射状に区画し、走路の円中心を中心軸として走路上を回動する区画手段と、トレーニング室の空気を排気する排気手段とからなる競争馬用低酸素トレーニング施設としたこと、にある。
【０００８】
トレーニング室は、低酸素空気供給手段から所望の酸素濃度となっている低酸素空気を供給し、低酸素環境を作りだすことができるため、トレーニング室自体には、負圧に耐え得る構造的強度が要求されず、通常の構造的強度を備えた、圧迫感を感じさせない程度の比較的大きなトレーニング室を形成できる。
【０００９】
トレーニング室においては、区画手段にて区画された同心円上の走路上の各区画ごとに競争馬を配置し、該区画手段を回動して、同時に複数匹の競争馬のトレーニングを効率良く行うことができる。
【００１０】
また、トレーニング室には排気手段を設けたため、トレーニングを行う競争馬の呼吸により室内の炭酸ガス濃度が上がるのを防止し、競争馬の習熟度に合わせて室内を一定の低酸素濃度に保つ。
【００１１】
本願発明にあっては、外部への出入口及びトレーニング室への出入口を有し、酸素濃度を外部の酸素濃度とトレーニング室の酸素濃度の中間程度に制御した前室を設けている。
【００１２】
競争馬のトレーニングを行う際には、前室で、競争馬を外部環境よりも若干低い酸素濃度となっている低酸素環境に慣らしてから、高地レベルの低酸素環境になっているトレーニング室で、本格的なトレーニングを行うことができる。
【００１３】
請求項２記載の発明は請求項１記載の発明の構成に、トレーニング室の天井に膜状の部材を用いたこと、を加えたものである。
【００１４】
トレーニング室は、負圧による構造的強度を要求されないため、トレーニング室の天井をビニール等の膜状の部材を用いて形成できる。
【００１５】
【発明の実施の形態】
以下、本発明の実施例を、図面を参照にしながら説明する。
図１は、本発明の一実施例を示す、競走馬用低酸素トレーニング施設の概略構成を示す説明図である。図２は、競争馬用低酸素トレーニング施設の平面図、図３は、競争馬用低酸素トレーニング施設の縦断面図である。
【００１６】
図１乃至図３に示すように、競争馬用低酸素トレーニング施設１は、競争馬のトレーニングを行うトレーニング室２と、トレーニング室２の周囲に隣接した低酸素空気供給手段１２を設置した機械室３と、外部への出入口４ａ及びトレーニング室２への出入口４ｂを設けた複数の前室４と、機械室３と前室４との間に位置し、競走馬のトレーニング状況を観察する制御室５とから構成されている。なお、トレーニング室２には、前室４を通らずに直接外部に出入り可能な出入口２ａが複数設けられている。
【００１７】
トレーニング室２には、隣接する機械室３に設置したトレーニング室系統低酸素空気供給手段１２から適度に調整した低酸素空気を、吹出管１３を通じて吹き出し口１４から供給し、標高１５００ｍ〜３５００ｍ程度の酸素分圧に匹敵する、低酸素環境を作り出すことができる。
【００１８】
低酸素空気供給手段は、制御された量の空気をコンプレッサーにて導入し、この空気をフィルターで清浄化した後、中空糸膜を用いた膜分離装置にて、空気中の酸素を、低酸素空気と高酸素空気に分離して選択的に透過させて、低酸素空気を発生させ、外部空気と混合して、所望の酸素濃度となる低酸素空気を発生させる低酸素空気発生装置と、発生した低酸素空気を供給する供給装置とから成る。なお、低酸素発生装置として、圧力変動吸着（ＰＳＡ法）方式のものを用いてもよい。
【００１９】
トレーニング室２は、低酸素空気の吹出口１４に略対向する上部壁面に、排気ダンパ１０及びファン１１とからなる排気手段を設置している。
【００２０】
排気ダンパ１０は、低酸素発生装置がコンプレッサーにて取り込む外部空気とほぼ同量となるように排気風量を制御し、ファン１１からトレーニング室２の室内空気を外部に放出する。インバーター制御による可変風量ファンにより、排気風量を制御することも可能である。
【００２１】
排気ダンパ１０及びファン１１は、競争馬の呼吸によりトレーニング室２内の炭酸ガス濃度を上昇させることなく、常に新鮮な低酸素空気をトレーニング室２内に導入するとともに、競争馬の習熟度に合わせてトレーニング室２内を常に一定の低酸素濃度となるように制御し、競争馬にとって危険な酸素濃度レベルとならないように、安全な環境を保っている。
【００２２】
トレーニング室２の床面には、競争馬のトレーニング走路となる同心円上に設けた円周状の走路７を設置している。
【００２３】
トレーニング室２の天井部６には、走路７の円中心位置に中心軸８ａを設け、この中心軸８ａと、モータ駆動により該中心軸８ａを中心として回動する、中心軸８ａから放射状に走路７の上部まで延びる複数の支持部材８と、該支持部材８に垂下設された走路７上を複数に区画するセパレーター９とからなる区画手段を設けている。
【００２４】
競争馬を出入口２ａ又は出入口４ｂからトレーニング室２内に引き入れ、セパレーター９で区画された走路７の各区画ポジションに競争馬を配置し、しばらく競争馬をトレーニング室２内の低酸素環境に慣らした後、支持部材８を回動し、走路７上に、同時に複数匹の競争馬を走らせて、トレーニングを行う。このため、競争馬に対して一台ずつトレッドミル等のトレーニング機器を必要とせずに、同時に複数匹の競争馬のトレーニングを効率良く行うことができる。
【００２５】
なお、速度可変式に支持部材８が回動する区画手段を用いることにより、競争馬が低酸素環境に慣れていないうちは、ゆっくりと走路７上を走らせ、低酸素環境に慣れるにしたがって徐々に速く走路７上を走らせるように、競争馬の能力や体調に合せたトレーニングを行うことができる。
【００２６】
また、トレーニング室２の天井部６は、ビニール製の膜部材を用いて形成している。トレーニング室２内は、トレーニング室系統低酸素供給手段１２から供給した低酸素空気により、室内を減圧することなく、低酸素環境が作り出されるため、負圧に耐え得る構造的強度を要求されず、トレーニングによる負荷が直接加わらない天井部６を比較的安価なビニール製の膜部材を用いて形成できる。
【００２７】
天井部６を設けたことにより、雨天の場合であっても、トレーニングを行うことができる。また、天井部６として、透光性の膜部材を用いると、昼間のトレーニングにおいては照明を必要とせず、天井部６の視界が開け、室内の圧迫感を減少する。
【００２８】
トレーニング室２に隣接している前室４には、機械室３に設置された前室系統低酸素供給手段１２’から吹出管１３’を通じて、低酸素空気が供給される。前室４の酸素濃度は、トレーニング室２内の酸素濃度と外部空気中の酸素濃度との中間程度の酸素濃度となるように、低酸素空気の供給量を制御している。
【００２９】
通常、平地の酸素濃度は約２０％（標高０ｍで酸素濃度２０．９％）である。一方、トレーニング室２内は、標高１５００ｍ〜３５００ｍ程度の酸素分圧に匹敵する、１７％〜１３．５％の低酸素濃度となるように、低酸素空気の量を制御している。このため、前室４は、酸素濃度が１９％〜１６％となるように、低酸素空気の供給量を制御する。
【００３０】
トレーニングを行う競争馬を、外部から出入口４ａを通じて前室４内に入れ、前室４において５分から１０分間、弱めの低酸素環境中で体を慣らした後、出入口４ｂからトレーニング室２内に入れることにより、競争馬の息苦しさを和らげて、ショックを与えることなく、スムーズにトレーニングを行うことができる。
【００３１】
トレーニング室２内の競争馬のトレーニング状況は、機械室３と前室４との間に設けた制御室５から観察することができる。トレーニング室２内に所定の機器類を設置し、トレーニングを行う競争馬の心拍数や呼吸量を測定して排気ダンパ１０の開閉やファン１１の回転数を制御することで、競争馬の習熟度に合せた最適な低酸素環境をとすることが可能である。
【００３２】
【発明の効果】
本発明は、上記した構成となっているので、以下に示す効果を奏する。
低酸素供給手段からトレーニング室に低酸素空気を供給して、室内を減圧することなく、低酸素環境を作り出すことができるため、通常の構造的強度を備えた、圧迫感を感じさせない程度の比較的大きな競走馬用トレーニング室を形成できる。
【００３３】
建物自体に負圧による構造的強度が要求されないため、比較的低廉なコストで、競争馬用低酸素トレーニング施設を建設することができ、低酸素環境下での競争馬のトレーニングを近隣に設けた施設で汎用的に行うことができる。
【００３４】
トレーニング室には、同心円上の走路を備え、該走路を複数に区画して、該走路上を回動する区画手段を設けたため、該区画手段で区画された走路に一匹ずつ競争馬を配置し、低酸素環境下で、同時に複数匹の競争馬のトレーニングを、効率良く行うことができる。
【００３５】
トレーニング室内は、排気手段により、常に新鮮な低酸素空気が導入されるとともに、競争馬の習熟度に合せた一定の低酸素濃度に制御され、競争馬にとって危険な酸素濃度レベルとならないように、安全な環境が維持される。
【００３６】
本発明にあっては、前室で、競走馬を低酸素環境に慣らした後に、競走馬用トレーニング室で高所レベルの低酸素トレーニングを行うことができ、競走馬にショックを与えることなく、スムーズに低酸素環境に慣らすことができる。
【００３７】
トレーニング室に直接出入りせず、前室を通じてトレーニング室に出入りすると、トレーニング室内の酸素濃度が変動しにくくなり、トレーニング室を所定の低酸素濃度に維持するコストが低減し、経済的に競争馬用トレーニング施設を維持することができる。
【００３８】
請求項２記載の発明にあっては、競走馬用トレーニング室の天井に膜状の部材を用いたため、競走馬用低酸素トレーニング施設の建設コストを低減できる。
【００３９】
また、トレーニング室に天井を設けたことにより、天侯に左右されずに、トレーニングを行うことができる。天井に透光性の膜状の部材を用いると、昼間のトレーニングにおいては照明を必要とせず、維持コストを低減することができるとともに、天井の視界が開け、室内の圧迫感を減少する。
【図面の簡単な説明】
【図１】本発明の一実施例である、競争馬用低酸素トレーニング施設の概略構成を示す説明図。
【図２】図１に示した実施例の平面図。
【図３】図１に示した実施例の縦断面図。
【符号の説明】
１    ；  競争馬用低酸素トレーニング施設
２    ；  トレーニング室
２ａ  ；  出入口
３    ；  機械室
４    ；  前室
４ａ  ；  外部への出入口
４ｂ  ；  トレーニング室への出入口
５    ；  制御室
６    ；  天井部
７    ；  円周状走路
８    ；  支持部材
８ａ  ；  中心軸
９    ；  セパレーター
１０  ；  排気ダンパ
１１  ；  ファン
１２  ；  トレーニング室系統低酸素供給手段
１２’；  前室系統低酸素供給手段
１３  ；  吹出管
１３’；  吹出管
１４  ；  吹出口
【図１】
0003896523.tif 000002
【図２】
0003896523.tif 000003
【図３】
0003896523.tif 000004